(57)【特許請求の範囲】
【請求項１】
湾曲もしくは折り返し部を有する弾性体の両端に対向して設けられ、前記弾性体の弾性力により耳珠を挟持する一対の支持部と、
前記一対の支持部の対向する対面の少なくとも一方に配置され、前記耳珠に対して振動を与える加振部と、
によって構成したことを特徴とするイヤホン装置。
【請求項２】
湾曲もしくは折返しにより両端が対面され、弾性力によりこの対面間で耳珠を挟持する弾性体と、
前記両端の対面のうちの少なくとも一方に配置され、前記耳珠に対して振動を与える加振部と、
によって構成したことを特徴とするイヤホン装置。
【請求項３】
前記対面をゴム又は表面に凹凸を有する部材で覆うことを特徴とする請求項１又は２の何れかに記載のイヤホン装置。
【請求項４】
前記弾性体の湾曲もしくは折返し部の外側面、又は前記弾性体の湾曲もしくは折返し部の外側に設けられた突起部の先端面を外耳道入口まわりの凹部と摩擦係合させることを特徴とする請求項１又は２の何れかに記載のイヤホン装置。
【請求項５】
前記弾性体の湾曲もしくは折返し部の外側面、又は前記弾性体の湾曲もしくは折返し部の外側に設けられた突起部の先端面、又はその先端面を含む突起部のほぼ全体をゴム又は表面に凹凸を有する部材で覆うことを特徴とする請求項４に記載のイヤホン装置。
【発明の詳細な説明】
【０００１】
【発明の属する技術分野】
本発明は、耳珠を加振手段により振動させ、音として聴取させるイヤホン装置に関する。
【０００２】
【従来の技術】
イヤホン及びヘッドホンは外耳道入口近くに電気音響変換器を装着し、音を出すことによりその音を聴取させる。骨導ヘッドホンは、頭蓋骨に振動を伝えることによりその振動を音として聴取させる。これらのイヤホン又はヘッドホンは発音器又は加振器を耳近辺、及び頭蓋骨に装着する必要がある。これらの装置は発音器及び加振器を装着する方法として、耳介に引っ掛ける方法、外耳道入口に挿入する方法などが用いられている。
図１４に従来の耳介に引っ掛けるタイプのイヤホンの例を示す。発音器１を耳穴前面に乗せ、耳かけ部２を耳介３の後方へ巡らせて掛けることにより発音器１を外耳道入口の前面に装着する。耳かけ部２と発音器１で耳介３を挟むように力が加えられ、発音器１がずれないように保持する。
【０００３】
骨導ヘッドホンの場合は加振器を外耳道入口周辺の皮膚に押し付けることにより、頭部を加振することができる。
図１５に従来の外耳道入口挿入型のイヤホンの例を示す。図１５Ａは耳の正面図、図１５Ｂは図１５Ａに示すＹ−Ｙ線上の断面図を示す。外耳道入口４の中に発音器１が侵入する形態で挿入することにより、外耳道入口４の壁面と発音器１との摩擦係合により発音器１自体を固定保持する。骨導イヤホンの場合、外耳道入口４内の骨に振動を加えることにより、頭部を加振する。
【０００４】
【発明が解決しようとする課題】
従来の耳かけ式のイヤホンは、上述したように耳介３の裏側と耳介３の外側を挟む形で固定する。そのため耳介３の外側の数点に装置が接触する必要があり、その結果、耳全体、もしくは外耳道入口４の上部をほとんど塞いだ状態になる。また従来の耳穴挿入型のイヤホンは、外耳道入口４を完全に塞ぐことによって装置を固定する。従ってこれらの装置は、装着時に外部の音を聞くことが難しいという第一の問題があった。
【０００５】
従来の耳かけ式のイヤホンは、耳介３のサイズの個人差を吸収しにくいという第二の問題があった。
従来の耳かけ式の骨導イヤホンでは、耳珠５（図１５Ｂ参照）の外側にしか加振器（特に図示していない）を接触させることができず、出力を増やせないという第三の問題があった。
【０００６】
【課題を解決するための手段】
この発明では、一面を弾性体を介して接続され、他面同士を対面させて配置した２個の支持部と、
他面のうち少なくとも一方に配置した加振部と、
によって構成したイヤホン装置を提案する。
この発明では更に、湾曲もしくは折返しにより両端が対面した弾性体と、
両端のうちの少なくとも一方に配置した加振部と、
によって構成したイヤホン装置を提案する。
この発明では更に、上記対面をゴム又は凹凸を有する部材で覆う構造としたイヤホン装置を提案する。
この発明では更に、上記弾性体の折返し部の少なくとも外側面又は上記弾性体の湾曲面の外側に突接した突起の先端面又は先端面を含む突起のほぼ全体をゴム又は表面に凹凸を有する部材で覆うイヤホン装置を提案する。
【０００７】
作用
この発明によるイヤホン装置によれば、２個の支持部の他面又は弾性体の弾性により耳珠を挟む形態でイヤホン装置を固定するため、耳介の他の部分に装置を接触させる必要がない。従って、外耳道入口が塞がれることがなく、第一の問題を解決することができる。
また、人体に接する部分が耳珠と外耳道入口の一部であるため、耳介のサイズなどの個人差に影響を受けることがない。この結果、第二の問題も解決することができる。
更に、この発明のイヤホン装置によれば２個の支持部の双方或は弾性体の両端の双方に加振部を装着すれば、耳珠に十分な加振パワーを与えることができる。この結果、第三の問題も解決することができる。
【０００８】
【発明の実施の形態】
図１はこの発明の請求項１で提案するイヤホン装置の実施例を示す。図中１０はこの発明によるイヤホン装置の全体を示す。１１Ａ、１１Ｂはほぼ円盤状の一面ａと他面ｂを持つ２個の支持体、１２は一面ａを互に接続する弾性体を示す。
支持体１１Ａと１１Ｂの他面ｂ同士は例えば２〜５ｍｍ程度の間隔を開けて対面して配置される。他面ｂのうち少なくとも一方の面に加振部１３を装着する。
図１に示す実施例では支持体１１Ａに加振部１３を装着した場合を示す。加振部１３は例えば電磁力或は圧電素子等により電気信号を振動に変換する、いわゆる電気音響変換器で構成することができる。１４はこの加振部１３に電気信号を送給するコードを示す。加振部１３を装着した側の支持体１１Aの直径Ｒは約１．５ｃｍ程度、他方の支持体１１Ｂの直径は約５ｍｍ程度とされる。
【０００９】
弾性体１２は弾性を持つプラスチックのような樹脂材によって成形されるが、支持体１１Ａ及び１１Ｂも弾性体１２と同一材料で一体形成してもよい。支持体１１Ａと１１Ｂの各中心位置から弾性体１２の湾曲部分の外側面１２Ａまでの寸法Ｌを約２ｃｍ程度に設定する。寸法Ｌを２ｃｍ程度に設定した場合は湾曲部分の外側面１２Ａが耳介３の内側に接触しない形式のイヤホン装置を構成することができる。支持体１１Ａと１１Ｂの他面ｂには加振部１３の露出面を含めて例えばゴムを０．１〜０．５ｍｍ程度の厚みでコーテイングする。ゴムの表面には例えば１ｍｍ程度の間隔の凹凸を形成するか又は粗面とし耳珠５との係合力を高める。
【００１０】
図２乃至図６にこの発明の請求項２で提案するイヤホン装置の実施例を示す。請求項２で提案するイヤホン装置１０は長さが例えば４〜６ｃｍ程度の弾性体１５を湾曲もしくは折返しによりその両端を対面させ、その両端のうち少なくとも一方に加振部１３を装着した構造とするものである。
図２乃至図６に示す実施例では弾性体１５の一端１５Ａに加振部１３を装着し、他端１５Ｂを加振部１３と対向して２〜５ｍｍ程度の間隔を開けて配置した場合を示す。加振部１３は図１と同様に電磁力或は圧電素子等により、電気信号を振動に変換する電気音響変換器で構成することができる。またこの実施例でも弾性体１５の湾曲部分の外側面１５ｃと加振部１３の中心までの距離Ｌを２ｃｍ程度とした場合を示す。従って、この場合も図５及び図６に示すように、弾性体１５の湾曲部分の外側面１５ｃが外耳道入口まわりの凹部６に接触しないイヤホン装置を提供することができる。
【００１１】
尚、加振部１３の露出面及び弾性体１５の両端の対面に、例えばゴム等を０．１〜０．５ｍｍ程度の厚みにコーティングすることにより、耳珠５に対して保持力を向上させることができる。また、そのコーティングした面に例えば１ｍｍ程度の間隔で凹凸を形成するか、又は粗面に形成することにより、その保持力を更に向上させることができる。
図７はこの発明の変形実施例を示す。この実施例では弾性体１５の両端１５Ａ及び１５Ｂの双方に加振部１３を装着した場合を示す。この実施例に示すように、弾性体１５の両端１５Ａ，１５Ｂの双方に加振部１３を装着した構造とすることにより、耳珠５にパワーの大きい振動を与えることができる。従って、例えば騒音の激しい場所で使用するイヤホン装置に利用することができる。
【００１２】
図８乃至図１１は図２乃至図６に示した実施例の変形実施例を示す。この実施例では弾性体１５を２条の細条弾性体１５ｄ、１５ｅによって構成した場合を示す。２条の細条弾性体１５ｄ、１５ｅは加振部１３を格納した一端１５Ａから突出して例えば４〜６ｃｍ程度に延長され、その延長部分のほぼ中央付近で折返されて他端１５Ｂ側で合体され、その合体された他端１５Ｂが一端１５Ａと２〜５ｍｍ程度の間隔を開けて配置される。
加振部１３は図１乃至図６に示した実施例と同様に、電磁力又は圧電素子による電気音響変換器で構成することができる。また、この実施例でも弾性体１５の両端１５Ａと１５Ｂ及び加振部１３の露出面に、例えばゴムのような部材を０．１〜０．５ｍｍ程度の厚みにコーティングするか、さらにはゴムの表面に凹凸又は粗面を形成することにより装着状態を更に安定化することができる。
【００１３】
また、この実施例ではコード１４を上向きに引き出し、引き出したコードを図１１に示すように耳介３の外側を巡らせて装置に接続することができる構造とした場合を示す。この構造とすることにより、コード１４に掛かる張力が一旦耳介３に加えられ、緩衝されてイヤホン装置１０に伝達されるから、イヤホン装置１０が耳珠５から外れ難くする効果が得られる。
また、この図８乃至図１０に示した実施例では図９に示す加振部１３の中心から弾性体１５の折返し部分の外側面１５ｃまでの寸法Ｌを２〜３ｃｍ程度に設定した場合を示す。このように寸法Ｌを２〜３ｃｍ程度に設定することにより、図１１に示すように弾性体１５の折返し部分の外側面１５ｃを耳珠５と対向する耳介３の耳珠に対向する外耳道入口まわりの凹部６に接触させることができる。このように弾性体１５の折返し部分の外側面１５ｃを耳介３の内面に接触させることによりイヤホン装置１０の装着状態を安定に維持させることができる効果が得られる。また、この場合も弾性体１５の折返し部分の外側面１５ｃにゴム又は表面に凹凸を有する部材をコーティングすることにより、凹部６との接触抵抗が高まり、接着状態の安定性を更に高めることができる。
【００１４】
図１２は図２乃至図６に示した実施例に対して図１１で説明したと同様の作用効果が得られるように工夫した実施例を示す。つまり図１２に示す実施例では図２乃至図６に示した実施例の構造に加えて弾性体１５の折返し部分の外側面１５ｃに外向きに長さが１．５〜２ｃｍ程度の突起部１６を設けた構造とした点を特徴とするものである。突起部１６を設けたことにより、突起部１６の端面１６Ａを耳の内側において耳珠５と対向する外耳道入口まわりの凹部６に接触させ、突起部１６と外耳道入口まわりの凹部６とを摩擦係合させることができる。この結果図１１で説明したと同様にイヤホン装置１０の装着状態を安定に維持させることができる作用効果が得られる。
【００１５】
また、この場合も突起部１６の端面１６Ａ又は突起部１６の端面１６Ａを含むほぼ全体にゴム等をコーティングすることによりイヤホン装置１０の保持力を高めることができる。
図１２に示す実施例では加振部１３を弾性体１５の一端１５Ａに装着した例を示すが、図１３に示すように、弾性体１５の一端１５Ａと他端１５Ｂの双方に加振部１３を装着することもできる。
【００１６】
【発明の効果】
以上説明したように、この発明によれば片耳の周辺だけでイヤホン装置１０を固定することができ、小型で外耳道入口４を塞がない骨導イヤホンを提供することができる。これにより、装着時に外耳道入口４を塞がずに外界の音とイヤホンの音を同時に聴くことができるイヤホン装置を提供できる利点が得られる。
【図面の簡単な説明】
【図１】この発明の一実施例を示す平面図。
【図２】この発明の変形実施例を示す平面図。
【図３】図２の正面図。
【図４】図３の背面図。
【図５】図２乃至図４に示したこの発明によるイヤホン装置を実装した状況を説明するための正面図。
【図６】図５に示したＹ−Ｙ線上の断面図。
【図７】図２乃至図６に示した実施例の変形実施例を説明するための断面図。
【図８】この発明の変形実施例を説明するための平面図。
【図９】図８の正面図。
【図１０】図９の背面図。
【図１１】図８乃至図１０に示した実施例に示したこの発明によるイヤホン装置を実装した状況を説明するための正面図。
【図１２】この発明の更に他の実施例を説明するための断面図。
【図１３】この発明の更に他の実施例を説明するための断面図。
【図１４】従来の技術を説明するための正面図。
【図１５】従来の技術の他の例を説明するためのＡは正面図、Ｂは断面図。
【符号の説明】
３      耳介                        １３      加振部
４      外耳道入口                  １４      コード
５      耳珠                        １５      弾性体
１０      イヤホン装置      １５Ａ、１５Ｂ      弾性体の両端
１１Ａ、１１Ｂ      支持部                      １６      突起部
１２      弾性体
【図１】
0003774158.tif 000002
【図２】
0003774158.tif 000003
【図３】
0003774158.tif 000004
【図４】
0003774158.tif 000005
【図５】
0003774158.tif 000006
【図６】
0003774158.tif 000007
【図７】
0003774158.tif 000008
【図８】
0003774158.tif 000009
【図９】
0003774158.tif 000010
【図１０】
0003774158.tif 000011
【図１１】
0003774158.tif 000012
【図１２】
0003774158.tif 000013
【図１３】
0003774158.tif 000014
【図１４】
0003774158.tif 000015
【図１５】
0003774158.tif 000016